(57)【要約】【課題】  レシートが不要な場合にレシートを出力しないレシート不要機能付きＰＯＳ商品トレース管理システムを提供することを目的とする。【解決手段】  顧客が所有する個人端末装置３０と、管理センターサーバ２０と、店舗内に設置される店舗内ＰＯＳ端末システム１０とがインターネット１００を介して接続されるレシート不要機能付きＰＯＳ商品トレース管理システムにおいて、店舗内ＰＯＳ端末システム１０において精算処理が終了する前に、レシート不要の操作があった場合、前記レシートを出力せずに処理を終了する。顧客があらかじめ会員登録していて、会員であることを示す会員カードを持っている場合、管理センターサーバ２０に顧客がレシートが必要であるか否かという情報を記憶させておく。【選択図】  図１
2006190158.tif 000002
【特許請求の範囲】
【請求項１】
顧客が所有する個人端末装置と、管理センターサーバと、店舗内に設置される店舗内ＰＯＳ端末システムとがネットワークを介して接続されるレシート不要機能付きＰＯＳ商品トレース管理システムにおいて、
前記店舗内ＰＯＳ端末システムにおいて精算処理が終了する前に、レシート不要の操作があった場合、前記レシートを出力せずに処理を終了することを特徴とするレシート不要機能付きＰＯＳ商品トレース管理システム。
【請求項２】
前記顧客があらかじめ会員登録していて、会員であることを示す会員カードを持っている場合、前記管理センターサーバに前記顧客がレシートが必要であるか否かという情報を記憶させておくことを特徴とする請求項１記載のレシート不要機能付きＰＯＳ商品トレース管理システム。
【請求項３】
前記管理センターサーバは、前記個人端末装置に前記精算処理の結果を送信することを特徴とする請求項１又は２記載のレシート不要機能付きＰＯＳ商品トレース管理システム。
【請求項４】
前記個人端末装置は、過去の精算処理の結果も、要求することで受け取ることを特徴とする請求項３記載のレシート不要機能付きＰＯＳ商品トレース管理システム。
【請求項５】
顧客が所有する個人端末装置と、管理センターサーバと、店舗内に設置される店舗内ＰＯＳ端末システムとがネットワークを介して接続されるレシート不要機能付きＰＯＳ商品トレース管理システムにおいて、
前記店舗内ＰＯＳ端末システムに、精算処理が終了する前に、顧客がレシートを必要とするか否かを受け付けるレシート不要操作部が接続されることを特徴とするレシート不要機能付きＰＯＳ商品トレース管理システム。
【請求項６】
会員登録している前記顧客が所有する会員カードを読み取るためのカード読み取り装置が、前記店舗内で店舗ＰＯＳ端末システムと接続されていることを特徴とする請求項５記載のレシート不要機能付きＰＯＳ商品トレース管理システム。
【発明の詳細な説明】
【技術分野】
【０００１】
本発明は、レシート不要機能付きＰＯＳ商品トレース管理システムに関し、特に、レシートを必要としないレシート不要機能付きＰＯＳ商品トレース管理システムに関する。
【背景技術】
【０００２】
従来、レシート不要機能付きＰＯＳ商品トレース管理システムで買い物をすると、何を買ったかとか、いくらだったかなどの情報が記載されたレシートが出力され、おつりなどとともに手渡されていた。
【０００３】
レシート不要機能付きＰＯＳ商品トレース管理システムに関する従来技術を示す文献を以下に示す。
【０００４】
特許文献１には、取引ごとに入力した取引データをレシートに編集出力するＰＯＳレジスタにおいて、レシート出力の要不要の入力を受け付け、レシートの出力を要とする場合に限って、取引データを編集し、レシートを出力するレシート不要機能付きＰＯＳ商品トレース管理システムが開示されている。
【０００５】
また、特許文献２には、購入商品又は提供サービス代金の清算処理を行うホスト装置から受信したレシートデータをレシート印刷用データ及び／又は電子レシートデータとして選択的に出力するレシートデータの出力制御装置が開示されている。
【０００６】
さらに、特許文献３には、店舗における購入金額の精算時に、精算内容を領収書データとして生成したレジ装置から携帯通信端末に送信する送受信ステップを含む領収書データ送受信方法であって、携帯通信端末が送受信ステップにおいて領収書データを受信するためのアプリケーションプログラムを起動する起動指令を、レジ装置から送信する起動指令ステップを含み、送受信ステップにおいては、起動指令に応答して、携帯通信端末において起動されたアプリケーションプログラムにより領収書データを受信する領収書データ送受信方法が開示されている。
【特許文献１】特開２００１−２９１１６７号公報
【特許文献２】特開２００２−３１２８５３号公報
【特許文献３】特開２００４−２１６０７号公報
【発明の開示】
【発明が解決しようとする課題】
【０００７】
しかしながら、上記した従来技術では、以下の点で困難があった。
【０００８】
特許文献１に開示される技術では、会員カードを利用しておらず、事前に登録されている情報を利用することができなかった。
【０００９】
また、特許文献２に開示される技術では、レシート出力を紙以外に行うことが前提となっているので、レシート出力の選択を行うことができなかった。
【００１０】
また、特許文献３に開示される技術では、レシートに関しては言及されておらず、レシート出力の選択を行うことができなかった。
【００１１】
そこで、本発明は、レシートが不要な場合にレシートを出力しないレシート不要機能付きＰＯＳ商品トレース管理システムを提供することを目的とする。
【００１２】
また、本発明は、会員カードにレシートが要不要の情報を書き込むことにより、レシートが要不要の選択を省くことができるレシート不要機能付きＰＯＳ商品トレース管理システムを提供することを目的とする。
【課題を解決するための手段】
【００１３】
本発明は、上記課題を解決するための手段として、顧客が所有する個人端末装置と、管理センターサーバと、店舗内に設置される店舗内ＰＯＳ端末システムとがネットワークを介して接続されるレシート不要機能付きＰＯＳ商品トレース管理システムにおいて、前記店舗内ＰＯＳ端末システムにおいて精算処理が終了する前に、レシート不要の操作があった場合、前記レシートを出力せずに処理を終了することを特徴とする。
【００１４】
また、本発明は、前記顧客があらかじめ会員登録していて、会員であることを示す会員カードを持っている場合、前記管理センターサーバに前記顧客がレシートが必要であるか否かという情報を記憶させておくことを特徴とする。
【００１５】
また、本発明は、前記管理センターサーバは、前記個人端末装置に前記精算処理の結果を送信することを特徴とする。
【００１６】
また、本発明は、前記個人端末装置は、過去の精算処理の結果も、要求することで受け取ることを特徴とする。
【００１７】
また、本発明は、顧客が所有する個人端末装置と、管理センターサーバと、店舗内に設置される店舗内ＰＯＳ端末システムとがネットワークを介して接続されるレシート不要機能付きＰＯＳ商品トレース管理システムにおいて、前記店舗内ＰＯＳ端末システムに、精算処理が終了する前に、顧客がレシートを必要とするか否かを受け付けるレシート不要操作部が接続されることを特徴とする。
【００１８】
また、本発明は、会員登録している前記顧客が所有する会員カードを読み取るためのカード読み取り装置が、前記店舗内で店舗ＰＯＳ端末システムと接続されていることを特徴とする。
【発明の効果】
【００１９】
本発明によれば、レシート用紙の資源の有効利用がはかれる。
【００２０】
また、インターネットを介して買い物情報をやりとりすることにより、商品個々の産地情報や生産日等の付加価値情報を同時に送ることができる。
【発明を実施するための最良の形態】
【００２１】
以下、添付図面を参照して本発明を実施するための最良の実施の形態を説明する。
【００２２】
［構成の説明］
図１は、本発明の一実施の形態の構成を示すブロック図である。
【００２３】
図１に示すように、本実施の形態は、店舗内に設置される店舗ＰＯＳ端末システム１０と、管理センターサーバ２０と、顧客が所有する個人端末装置３０とを備えており、各々インターネット１００を介して接続されている。
【００２４】
また、店舗ＰＯＳ端末システム１０には、顧客側のレシート不要操作部１１と、顧客レシート印刷部１２と、店舗用ジャーナル印刷部１３と、カード読み取り装置１４と、が接続されている。
【００２５】
店舗ＰＯＳ端末システム１０は、コンビニや各店舗に保有されているＰＯＳ端末であり以下の機能を有する。
【００２６】
（１）レジ精算までに顧客が顧客側のレシート不要操作部１１（顧客用ＬＣＤタッチパネルのレシート不要ボタンを触れること）を操作することにより、顧客用レシートの出力を行わず、現金またはカードの精算のみを行う。
【００２７】
（２）事前に会員登録されたカードを利用することにより、精算情報をインターネット１００を経由して、管理センターサーバ２０に接続することによりレシートの印刷はおこなわず、精算情報を管理センターサーバ２０内の情報に基づき個人端末装置３０に精算情報を送信する。
【００２８】
管理センターサーバ２０は各個人情報の管理及び各店舗情報を管理し以下の機能を有する。図２は、管理センターサーバ２０の構成を示すブロック図である。
【００２９】
（１）  個人情報としてメールアドレス、送信して欲しいデータ形式の指定、送信して欲しいデータ種類の管理をする。
【００３０】
（２）  各店舗情報として送信可能データの種類を管理する。
【００３１】
（３）  個人認証、店舗認証を管理する。
【００３２】
図２に示すように、管理センターサーバ２０は、利用者管理ブロック２０２と、店舗情報管理ブロック２０３と、個人情報管理ブロック２０４とを備えている。
【００３３】
図６は、管理センターサーバで管理される利用者管理ブロックの内容を示す図である。
【００３４】
サービス利用番号、店舗名や顧客名が各々対応付けられて記載されている。
【００３５】
図７は、管理センターサーバで管理される店舗情報管理ブロックの内容を示す図である。
【００３６】
商品管理番号、商品名、金額及び付加価値情報がサービス利用番号に各々対応付けられている。
【００３７】
図８は、管理センターサーバで管理される個人情報管理ブロックの内容を示す図である。
【００３８】
サービス利用番号に対応して、店舗名、商品名、金額及び付加価値情報が、サービス利用番号に各々対応付けられている。
【００３９】
個人端末装置３０は、会員登録された個人端末であり以下の機能を有する。
【００４０】
（１）  管理センターサーバ２０に対して受信したい、精算情報を設定する。
【００４１】
（２）  各店舗端末装置１０からの精算情報の受信を行う。
【００４２】
（３）  管理センターサーバ２０に接続し、精算情報の確認及び欲しい情報の編集とダウンロードを行う。
【００４３】
［動作の説明］
図３は、本発明の一実施の形態における会員カードがない場合の動作を示すフローチャートである。
【００４４】
図３に示すように、店舗にて客が買い物を終了し精算処理をするために、通常のレジ操作をする（ステップＳ１０１）。
【００４５】
レジ操作が終了する前に（ステップＳ１０２／Ｎｏ）、レシート不要操作部１１（ＬＣＤ画面上のレシート不要タッチパネル又は、連動しているスイッチを押す）にて不要のスイッチを押すことができる（ステップＳ１０３／Ｙｅｓ）。レジにて買い物金額を合計する（ステップＳ１０４）。
【００４６】
レシート不要操作部１１にて不要のスイッチを押していたならば（ステップＳ１０５／Ｙｅｓ）、店舗情報などが含まれるジャーナル情報をジャーナル印刷部１３に出力して（ステップＳ１０７）、処理は終了する。
【００４７】
レシート不要操作部１１にて不要のスイッチが押されていなければ（ステップＳ１０５／Ｎｏ）、レシートを印刷して（ステップＳ１０６）、ジャーナル情報をジャーナル印刷部１３に出力して（ステップＳ１０７）、処理は終了する。
【００４８】
図４は、本発明の一実施の形態における会員カードがある場合の動作を示すフローチャートである。
【００４９】
図４に示すように、顧客からカードを受け取り店舗ＰＯＳシステム１０に付属するカード読み取り装置１４で情報を読み取り（ステップＳ２０１）、インターネット１００を介して管理センターサーバ２０にサービス利用番号（カード番号）を通知する（ステップＳ２０２）。
【００５０】
管理センターサーバ２０は、通知されたサービス利用番号をもとに個人認証を確認し（ステップＳ２０５）、個人認証が登録情報と認証できたとき（ステップＳ２０５／Ｙｅｓ）、該当個別ユーザが事前に登録している、通知して欲しい情報に基づき個別通知データを作成し（ステップＳ２０６）、個人認証が登録情報と認証できた旨の通知をする（ステップＳ２０８）。
【００５１】
また、管理センターサーバ２０は、個人情報が登録情報と認証できなかったとき（ステップＳ２０５／Ｎｏ）、サービス利用番号がないことになるので（ステップＳ２０７）、サービスを利用できる権限がない旨の通知をする（ステップＳ２０８）。図９は、サービスを利用できる権限がない旨の画面である。
【００５２】
上記の認証作業をしている間に、店舗ＰＯＳシステム１０では、レジ操作が行われており（ステップＳ２０３）、レジ操作が終了する前に（ステップＳ２０３／Ｎｏ）、レシート不要操作部１１（ＬＣＤ画面上のレシート不要タッチパネル又は、連動しているスイッチを押す）にて不要のスイッチを押すことができる（ステップＳ２０４）。レジにて買い物金額を合計する（ステップＳ２０９）。
【００５３】
顧客登録情報に基づき、レシートの要／不要を判断し（ステップＳ２１０）、不要登録がされ（ステップＳ２１０／Ｙｅｓ）、レシート不要操作部１１にて不要のスイッチが押されていたならば（ステップＳ２１１／Ｙｅｓ）、レシートを印刷せずに、ジャーナルを印刷して（ステップＳ２１３）、精算情報を管理センターサーバ２０に通知する（ステップＳ２１４）。
【００５４】
精算情報を受信した管理センターサーバ２０は、個別精算情報を個人端末装置３０に送信する（ステップＳ２１５）。
【００５５】
受け取った精算情報を確認してから保存し、必要な情報を編集し自由に利用することを可能とする（ステップＳ２１６）。
【００５６】
個人端末装置３０から管理センターサーバ２０に接続認証を要求し（ステップＳ２１７）、個人認証（ステップＳ２１８）の後、過去の情報をまとめて必要なデータを自由に抽出し（ステップＳ２１９）、個人端末装置３０にダウンロードする（ステップＳ２２０）ことによりデータを加工することができる（ステップＳ２２１）。
【００５７】
図５は、管理センターサーバにおける個人認証を確認する方法を詳細に示すフローチャートである。
【００５８】
図５に示すように、店舗内ＰＯＳシステム１０からサービス利用番号が通知されると（ステップＳ３０１）、図６に示す利用者管理ブロックを参照して、利用者管理ブロックに該当するサービス利用番号を検索する（ステップＳ３０２）。
【００５９】
サービス利用番号があれば（ステップＳ３０２／Ｙｅｓ）、その顧客の個別に通知するデータを検索し（ステップＳ３０３）、その個別通知データを通知する（ステップＳ３０４）。
【００６０】
サービス利用番号がなければ（ステップＳ３０２／Ｎｏ）、サービス利用番号なしを通知する（ステップＳ３０５）。
【図面の簡単な説明】
【００６１】
【図１】本発明の一実施の形態の構成を示すブロック図である。
【図２】管理センターサーバ２０の構成を示すブロック図である。
【図３】本発明の一実施の形態における会員カードがない場合の動作を示すフローチャートである。
【図４】本発明の一実施の形態における会員カードがある場合の動作を示すフローチャートである。
【図５】管理センターサーバにおける個人認証を確認する方法を詳細に示すフローチャートである。
【図６】管理センターサーバで管理される利用者管理ブロックの内容を示す図である。
【図７】管理センターサーバで管理される店舗情報管理ブロックの内容を示す図である。
【図８】管理センターサーバで管理される個人情報管理ブロックの内容を示す図である。
【図９】サービスを利用できる権限がない旨を示す画面である。
【符号の説明】
【００６２】
１０  店舗ＰＯＳ端末システム
１１  レシート不要操作部
１２  顧客レシート印刷部
１３  店舗用ジャーナル印刷部
１４  カード読み取り装置
２０  管理センターサーバ
３０  個人端末装置
１００  インターネット
【図１】
2006190158.tif 000003
【図２】
2006190158.tif 000004
【図３】
2006190158.tif 000005
【図４】
2006190158.tif 000006
【図５】
2006190158.tif 000007
【図６】
2006190158.tif 000008
【図７】
2006190158.tif 000009
【図８】
2006190158.tif 000010
【図９】
2006190158.tif 000011